【事件の表示】
　平成　７年特許願第２１２２４９号「音声認識対話装置および音声認識対話処理方法」拒絶査定に対する審判事件〔平成　９年　３月　７日出願公開、特開平　９−　６２２８７、請求項の数（４）〕について、次のとおり審決する。
【結　論】
　原査定を取り消す。
　本願の発明は、特許すべきものとする。
【理　由】
１．本願発明
　本願は、平成７年８月２１日の出願であって、その請求項１ないし４に係る発明（以下、「本願発明」という。）は、平成１５年６月１６日付けの手続補正書により補正された明細書および図面の記載からみて、次のとおりのものである。
　
「【請求項１】　話者から入力された音声を分析して音声特徴データを発生し、この音声特徴データと予め登録された認識可能な単語の標準音声特徴データとを比較して単語検出データを出力し、この単語検出データを受けて、入力音声の意味を理解し、それに対応した応答内容を決定して出力する音声認識対話装置において、
　認識された音声に対する応答出力を行うために前記話者の年代あるいは性別等に対応させて予め設定されたデータを記憶した記憶手段を有して装置本体に対して着脱自在に装着可能な複数のカートリッジを設け、これら複数のカートリッジから選択された少なくとも１つを装置本体に装着することにより、装置本体側に設けられた音声認識応答処理部に接続し、
　前記記憶手段は、話者の年代あるいは性別等に対応させて予め登録された認識可能な単語に対応する応答内容を記憶した会話内容記憶手段と、どのような音声合成出力を発生するかを指示するための指示内容を記憶する応答データ指示内容記憶手段とで構成され、
　前記音声認識応答処理部は、状態検出手段と、話者の音声を入力する音声入力手段と、この音声入力手段により入力された音声を分析して音声特徴データを発生する音声分析手段と、予め登録された認識可能な単語の標準音声特徴データを記憶した標準音声特徴データ記憶手段と、この標準音声特徴データ記憶手段の記憶内容を基に、入力音声に対する単語検出データを出力する単語検出手段と、この単語検出手段からの単語検出データを受けて入力音声の意味を理解するとともに、前記状態検出手段と前記会話内容記憶手段からの内容にもとづいて、最適な意味を選んで、それに対応した応答内容を決定する音声理解会話制御手段と、前記音声理解会話制御手段により決定された応答内容に対し、前記応答データ指示内容記憶手段の内容に基づいた音声合成出力を発生する音声合成手段と、この音声合成手段からの音声合成出力を外部に出力する音声出力手段とを有したことを特徴とする音声認識対話装置。
　【請求項２】　話者から入力された音声を分析して音声特徴データを発生し、この音声特徴データと予め登録された認識可能な単語の標準音声特徴データとを比較して単語検出データを出力し、この単語検出データを受けて、入力音声の意味を理解し、それに対応した応答内容を決定して出力する音声認識対話装置において、
　音声認識を行うために前記話者の年代あるいは性別等に対応させて予め設定されたデータ、認識された音声に対する応答出力を行うために前記話者の年代あるいは性別等に対応させて予め設定されたデータなどを記憶した記憶手段を有して装置本体に対して着脱自在に装着可能な複数のカートリッジを設け、これら複数のカートリッジから選択された少なくとも１つを装置本体に装着することにより、装置本体側に設けられた音声認識応答処理部に接続し、
　前記記憶手段は、話者の年代あるいは性別等に対応させて予め登録された認識可能な単語に対する標準音声特徴データを記憶した標準音声特徴データ記憶手段と、話者の年代あるいは性別等に対応させて予め登録された認識可能な単語に対応する応答内容を記憶した会話内容記憶手段と、どのような音声合成出力を発生するかを指示するための指示内容を記憶する応答データ指示内容記憶手段とで構成され、
　前記音声認識応答処理部は、状態検出手段と、話者の音声を入力する音声入力手段と、この音声入力手段により入力された音声を分析して音声特徴データを発生する音声分析手段と、この音声分析手段からの音声特徴データを入力し、前記標準音声特徴データ記憶手段の記憶内容を基に、入力音声に対する単語検出データを出力する単語検出手段と、この単語検出手段からの単語検出データを受けて入力音声の意味を理解するとともに、前記状態検出手段と前記会話内容記憶手段からの内容にもとづいて，最適な意味を選んで、それに対応した応答内容を決定する音声理解会話制御手段と、この音声理解会話制御手段によって決定された応答内容に対し、前記応答データ指示内容記憶手段の内容に基づいた音声合成出力を発生する音声合成手段と、この音声合成手段からの音声合成出力を外部に出力する音声出力手段とを有したことを特徴とする音声認識対話装置。
　【請求項３】　話者から入力された音声を分析して音声特徴データを発生し、この音声特徴データと予め登録された認識可能な単語の標準音声特徴データとを比較して単語検出データを出力し、この単語検出データを受けて、入力音声の意味を理解し、それに対応した応答内容を決定して出力する音声認識対話方法において、
　認識された音声に対する応答出力を行うために前記話者の年代あるいは性別等に対応させて予め設定されたデータを記憶した記憶手段を有して装置本体に対して着脱自在に装着可能な複数のカートリッジを設け、これら複数のカートリッジから選択された少なくとも１つを装置本体に装着することにより、装置本体側に設けられた音声認識応答処理部に接続し、
　前記記憶手段に記憶される記憶内容は、話者の年代あるいは性別等に対応させて予め登録された認識可能な単語に対応する応答内容と、どのような音声合成出力を発生するかを指示する応答データ指示内容とで形成し、
　前記音声認識応答処理部には、状態を検出する状態検出工程と、音声入力手段により入力された音声を分析して音声特徴データを発生する音声分析工程と、予め登録された認識可能な単語の標準音声特徴データを基に、入力音声に対する単語検出データを出力する単語検出工程と、この単語検出工程からの単語検出データを受けて入力音声の意味を理解するとともに、前記状態検出工程により検出された状態と、前記応答内容とにもとづいて，最適な意味を選んで、それに対応した応答内容を、前記記憶手段側に記憶された会話内容を参照して決定する音声理解会話制御工程と、この音声理解会話制御工程によって決定された内容に対し、前記記憶手段側に記憶された応答データ指示内容に基づいた音声合成出力を発生する音声合成工程と、この音声合成工程からの音声合成出力を外部に出力する音声出力工程とを有したことを特徴とする音声認識対話処理方法。
　【請求項４】　話者から入力された音声を分析して音声特徴データを発生し、この音声特徴データと予め登録された認識可能な単語の標準音声特徴データとを比較して単語検出データを出力し、この単語検出データを受けて、入力音声の意味を理解し、それに対応した応答内容を決定して出力する音声認識対話方法において、
　音声認識を行うために前記話者の年代あるいは性別等に対応させて予め設定されたデータ、認識された音声に対する応答出力を行うために前記話者の年代あるいは性別等に対応させて予め設定されたデータなどを記憶した記憶手段を有して装置本体に対して着脱自在に装着可能な複数のカートリッジを設け、これら複数のカートリッジから選択された少なくとも１つを装置本体に装着することにより、装置本体側に設けられた音声認識応答処理部に接続し、
　前記記憶手段に記憶された記憶内容は、話者の年代あるいは性別等に対応させて予め登録された認識可能な単語に対する標準音声特徴データ、話者の年代、性別等に対応させて予め登録された認識可能な単語に対応する応答内容、どのような音声合成出力を発生するかを指示するための指示内容を記憶する応答データ指示内容とで形成し、
　前記音声認識応答処理部には、状態を検出する状態検出工程と、音声入力手段により入力された音声を分析して音声特徴データを発生する音声分析工程と、この音声分析工程からの音声特徴データを入力し、前記記憶手段に記憶された記憶内容を基に、入力音声に対する単語検出データを出力する単語検出工程と、この単語検出工程からの単語検出データを受けて入力音声の意味を理解するとともに、前記状態検出工程により検出された状態と、前記応答内容とにもとづいて，最適な意味を選んで、それに対応した応答内容を、前記記憶手段に記憶された会話内容を参照して決定する音声理解会話制御工程と、この音声理解会話制御工程によって決定された応答内容に対し、前記記憶手段に記憶された応答データ指示内容に基づいた音声合成出力を発生する音声合成工程と、この音声合成工程からの音声合成出力を外部に出力する音声出力工程とを有したことを特徴とする音声認識対話処理方法。」
　
２．引用例
　当審の拒絶理由で引用した刊行物である特開平６−１３３０３９号公報（以下、「引用例１」という。）、特開平４−１６７０７１号公報（以下、「引用例２」という。）、特開平４−９３８９９号公報（以下、「引用例３」という。）には、次のことが記載されている。
　引用例１には、不特定話者に対応するために各々の単語に対して複数の標準パターンを有した音声認識部、前記音声認識部の認識結果に基づいて意味を解析し必要な応答情報を抽出する対話管理部、前記対話管理部で作成した応答文を音声合成する音声合成部、そしてそれらをつなぐ制御部を有した音声認識対話装置が記載されている。
　引用例２には、操作者の発声により登録された標準パターンと音声の合成を行う合成データとを格納する着脱可能な外部記憶手段を設け、音声翻訳装置内の音声合成手段が該外部手段内の合成データから音声信号を合成することが記載されている。
　引用文献３には、利用者各人毎の登録データと合成音データを記憶する着脱可能な記憶部を設け、音声認識する際、音声認識装置内の音声合成部が該記憶部から必要な合成音データを読み出して合成音に変換することが記載されている。
　
３．本願発明と引用例との対比・判断
　本願発明と引用例１ないし３とを対比・検討すると、引用例１ないし３には、次に掲げる本願発明の主要な事項の記載も示唆もない。
　
「状態検出手段(工程)と会話内容記憶手段(工程)からの内容にもとづいて、最適な意味を選んで、それに対応した応答内容を決定する」点。
　
　そしてそれにより、「状態検出手段(工程)で検出した情報に対応した応答音声を選択することができるので、操作者が同じ言葉を発したとしても、状態に応じた様々な返答が得られる」といった引用例１ないし３にはない顕著な効果を有している。
　
４．むすび
　したがって、本願発明は引用例１ないし３の記載に基いて当業者が容易に発明することができたとする原査定の理由によっては、拒絶することはできない。
　また、他に本願発明を拒絶する理由を発見しない。
　よって、結論のとおり審決する。